(57)【要約】【課題】    本願は、非金属製瓦及び漆喰を用いた歴史的建造物の屋根を、金属製瓦を用いて復元させる屋根構造を提供することを目的にしている。【解決手段】  本願は、非金属製瓦と、漆喰とを用いた意匠が再現された屋根構造であり、金属製瓦と、成型白色部材とを用いた屋根構造である。また、本願は、上記に加え、次のような特徴をもつ屋根構造である。金属製瓦は、略直線状端縁と、略半円状端縁を有する断面略半円状である。この直線状端縁近傍に、係合部を有する。一方、成型白色部材は、端部近傍に金属製瓦被係合部を有する。これらの係合部と金属製被係合部とが係合され、成型白色部材が、屋根表面を形成する一部分として表出された状態で、屋根上に固定されている屋根構造である。【選択図】  図１
2018053445.tif 000002
【特許請求の範囲】
【請求項１】
非金属製瓦と、
漆喰とを用いた意匠が再現された屋根構造であって、
金属製瓦と、
成型白色部材とを用いた屋根構造。
【請求項２】
金属製瓦は、
略直線状端縁と、
略半円状端縁を有する
断面略半円状であり、
略直線状端縁近傍に、
係合部を有し、
成型白色部材は、
端部近傍に金属製瓦被係合部を有しており、
係合部と金属製瓦被係合部とが係合され、
成型白色部材が、
屋根表面を形成する一部分として表出された状態で、
屋根上に固定されている請求項１の屋根構造。
【請求項３】
成型白色部材は、
断面略コ字状の形状であり、
成型白色部材が、
金属製瓦表面の端縁近傍を覆い、
屋根表面を形成する一部分として表出された状態で、
屋根上に固定されている請求項１又は請求項２の屋根構造。
【請求項４】
成型白色部材は、
略はしご状の形状であり、
軒棟方向にはしごをかけるように、
金属製瓦上に固定され、
成型白色部材が、
屋根表面を形成する一部分として表出された状態で、
屋根上に固定されている請求項１又は請求項２の屋根構造。
【請求項５】
成型白色部材は、
金属製である請求項１ないし請求項４の屋根構造。
【発明の詳細な説明】
【技術分野】
【０００１】
本願は、非金属製瓦及び漆喰を用いた歴史的建造物の屋根を、金属製瓦を用いて復元させる屋根構造を提供することを目的にしている。
【背景技術】
【０００２】
従来、歴史的建造物を後世に遺すために、伝統的な技術を何世代にもわたって継承し、古来の工法・材料等によって復元する作業が行われていた。しかし、伝統的な技術が途切れてしまったり、数年後に再度修復工事が必要になったりといった課題があった。また、従来、非金属製瓦は重量があり、風や地震等に弱いという課題があった。
【０００３】
この問題に対し、従来の工法・材料ではなく、金属製瓦を用いて復元することも提案されている。金属製瓦を用いることによって、半永久的にメンテナンスを不要にすることが実現されている。また、金属製瓦は、従来の非金属製瓦に比べて軽く、風や地震等に強いという特徴もある。たとえば、図７及び図８に示す先行技術がある。
【先行技術文献】
【特許文献】
【０００４】
【特許文献１】特許第３４０１４０１号公報
【特許文献２】特許第４０５４８１９号公報
【発明の概要】
【発明が解決しようとする課題】
【０００５】
図７及び図８に示す部材は、従来の意匠に限りなく近い形での復元が可能である。しかし、「漆喰」を用いた歴史的建造物の復元において、課題があった。そのため、金属製瓦の場合、漆喰は用いられていなかった。
【０００６】
第１の課題は、金属に対して漆喰が安定した状態に付着しないことがあげられる。そのため、金属製瓦に従来の漆喰を用いることはできなかった。
【０００７】
第２の課題は、従来の漆喰を用いた場合の耐久性である。金属製瓦に比べて経年劣化が早い。たとえば、ひび割れ、はがれ等が発生する。したがって、時間の経過によって、金属製瓦の耐用年数内であっても、漆喰のメンテナンスの必要がある。そのため、意匠性の維持のためにコストがかかってしまう。
【０００８】
第３の課題は、漆喰を塗る手間及び技術である。漆喰を塗る作業は、大変手間がかかる上、高い技術を必要とする。しかも、屋根上という高所作業で行う作業であり、短時間で安全な作業が求められている。
【課題を解決するための手段】
【０００９】
本願は、非金属製瓦と、漆喰とを用いた意匠が再現された屋根構造であり、金属製瓦と、成型白色部材とを用いた屋根構造である。
【００１０】
また、本願は、上記に加え、次のような特徴をもつ屋根構造である。金属製瓦は、略直線状端縁と、略半円状端縁を有する断面略半円状である。この直線状端縁近傍に、係合部を有する。一方、成型白色部材は、端部近傍に金属製瓦被係合部を有する。これらの係合部と金属製被係合部とが係合され、成型白色部材が、屋根表面を形成する一部分として表出された状態で、屋根上に固定されている屋根構造である。
【００１１】
また、本願は、上記に加え、次のような特徴をもつ屋根構造である。成型白色部材は、断面略コ字状の形状である。この成型白色部材が、金属製瓦表面の端縁近傍を覆い、屋根表面を形成する一部分として表出された状態で、屋根上に固定されている屋根構造である。
【００１２】
また、本願は、上記に加え、次のような特徴をもつ屋根構造である。成型白色部材は、略はしご状の形状であり、軒棟方向にはしごをかけるように、金属製瓦上に固定される。この成型白色部材が、屋根表面を形成する一部分として表出された状態で、屋根上に固定されている屋根構造である。
【００１３】
また、本願は、上記に加え、成型白色部材が、金属製である屋根構造である。
【発明の効果】
【００１４】
本願は、「漆喰」を用いた歴史的建造物の復元において、従来の意匠に限りなく近い形での復元が可能である。具体的には、非金属製瓦が金属製瓦に、漆喰が成型白色部材によって代替されている。
【００１５】
漆喰は金属に対して安定した状態に付着しないが、本願で用いる成型白色部材は、金属製瓦に成型白色部材を係合させる、又は貼付させる構成なので、安定した状態で取り付けることができる。
【００１６】
成型白色部材の素材に耐久性のあるものを用いれば、経年劣化を抑えることができ、ひび割れ、はがれ等が発生しない。そのため、メンテナンスをほぼ行う必要がなくなる。したがって、コストを抑えて、高い意匠性を維持することができる。
【００１７】
本願は、金属製瓦に成型白色部材を係合させる、又は固定させるだけなので、漆喰を塗る手間及び技術を必要としない。そのため、短時間で安全な作業を行うことができる。
【図面の簡単な説明】
【００１８】
【図１】本願の屋根構造の実施例を示す説明図である。
【図２】本願の屋根構造で用いる金属製瓦の実施例を示す説明図である。
【図３】本願の屋根構造の実施例（実施例１）を示す説明図である。
【図４】本願の屋根構造の実施例（実施例１）を示す説明図である。
【図５】本願の屋根構造の実施例（実施例２）を示す説明図である。
【図６】本願の屋根構造の実施例（実施例３）を示す説明図である。
【図７】従来技術を示す説明図である。
【図８】従来技術を示す説明図である。
【発明を実施するための形態】
【００１９】
本願の屋根構造の実施例について、図面に基づいて説明する。図１は、本願の屋根構造の完成イメージ（実施例１〜３共通）を示す図である。図２は、本願の屋根構造で用いる金属製瓦の実施例（実施例１〜３共通）を示す図である。図３及び図４は、本願の屋根構造の実施例（実施例１）を示す説明図である。図３は軒側から見て左右に谷瓦、山瓦、谷瓦と連続するのを示す断面図、図４は図３のＡ−Ａ断面図である。図５は、本願の屋根構造の実施例（実施例２）を示す説明図である。図６は、本願の屋根構造の実施例（実施例３）を示す説明図である。なお、実施例４については、対応する図面を省略する。
【００２０】
まず、図１により、屋根構造の実施例を説明する。本願の屋根構造は、本瓦棒葺きの構造を復元するのに適している。これは、漆喰を用いた歴史的建造物では、本瓦棒葺きの構造のものが多いためである。漆喰は、瓦同士のつなぎ目に付着させられる。したがって、本実施例の成型白色部材は、本瓦棒葺きにおける瓦のつなぎ目付近に配置される。
【００２１】
次に、図２により、本願の屋根構造で用いる金属製瓦Ｍについて説明する。
【００２２】
本願の屋根構造で用いる金属製瓦Ｍは、素材は特に問わない。鋼板、ステンレス、チタン材等が望ましいが、とくに最も耐久性が高いチタン材が最適である。また、形状についても特に問わない。先述した金属製本瓦棒葺きの構造の場合、山瓦Ｍ１、谷瓦Ｍ２によって構成される。このうち、山瓦Ｍ１は、略直線状端縁１１と、略半円状端縁１２を有する断面略半円状のような単純形状なので、成型白色部材Ｗを組み合わせるための加工がしやすい。また、端縁近傍に、端部近傍に成型白色部材Ｗを係合させる係合部１１ａが形成されていてもよい。本実施例の山瓦Ｍ１と谷瓦Ｍ２は、成型白色部材Ｗを介さず、係合部１１ａと被係合部２１ａを直接組み合わせて取り付けることもできる。
【００２３】
次に、本願の屋根構造で用いる成型白色部材Ｗについて説明する。この成型白色部材Ｗは、漆喰のような粘性を有する塗り材ではなく、所定の形状を有する白色の部材である。材質は特に問わないが、金属製部材や樹脂製部材、又は金属製部材の表面に漆喰を模した樹脂製部材を貼り付けたものが望ましい。成型白色部材Ｗは、漆喰に近い白色で、外側に凸状である曲面にすると、漆喰を実際に盛ったような意匠により近づけることができる。
【００２４】
金属製部材の場合、金属製瓦Ｍの素材と同じものにすると耐用年数がほぼ同じになり、意匠性の統一感を維持できる。樹脂製部材の場合、柔らかいため、屋根上に取り付けられた金属製瓦Ｍの表面形状に沿った形状にしやすく、施工性を高めることができる。また、軽量なので、現場での取り回しがしやすく、仮に屋根から落下させてしまっても危険性が極めて低い。さらに、仮に劣化して交換する場合にも容易に作業を行うことが可能である。その上、比較的自由に成形できるため、漆喰を実際に盛ったような意匠を形成しやすい。
【００２５】
次に、図３及び図４により、本願の屋根構造の実施例（実施例１）について説明する。図３において、本実施例の成型白色部材Ｗは、金属製本瓦葺きの構造において用いられるものである。上側の端部近傍に山瓦被係合部３１ａ（金属製瓦被係合部３１）、下側の端部近傍に谷瓦係合部３２ａが折曲加工によって形成されている。この成型白色部材Ｗを係合させるために、山瓦Ｍ１の両端部に係合部１１ａ・１１ａ、谷瓦Ｍ２の両端部に被係合部２１ａ・２１ａが折曲加工によって形成されている。
【００２６】
本実施例の屋根構造とするのに当たっては、まず谷瓦Ｍ２が屋根上に止着具によって木下地Ｂに固定される。この谷瓦Ｍ２の被係合部２１ａに対して、成型白色部材Ｗの谷瓦係合部３２ａが組み合わされる。そして、この成型白色部材Ｗの山瓦被係合部３１ａに対して、山瓦Ｍ１の係合部１１ａが組み合わされる。このとき、成型白色部材Ｗの山瓦被係合部３１ａが外側への折り曲げ、成型白色部材Ｗの谷瓦係合部３２ａが内側への折り曲げによって形成されている。そのため、雨水が山瓦Ｍ１頂部から谷瓦Ｍ２に流れても、谷瓦Ｍ２から山瓦Ｍ１に向けて雨水が吹き上げられても、水密性の高い構成となる。このように成型白色部材Ｗがあたかも漆喰を付着させたように、屋根表面を形成する一部分として表出された状態となる。
【００２７】
ここで、図４において、軒棟に連続する山瓦Ｍ１・Ｍ１同士の目地部分には、別形状の成型白色部材Ｗを屋根表面を形成する一部分として表出された状態となるように取り付ける。この成型白色部材Ｗは、屋根表面を形成する一部分が軒側の山瓦Ｍ１の棟側端部近傍上に載せられるように組み合わせられ、棟側が止着具Ｓによって木下地Ｂに固定される。この止着具Ｓによって固定された部分は、棟側の山瓦Ｍ１によって覆われる。このような構造であることによって、成型白色部材の止着具によって固定された部分には、雨水が到達することはない。そのほか、成型白色部材Ｗは、山瓦Ｍ１上に両面テープ等で貼付する等、簡便な方法で固定されてもよい。
【００２８】
次に、図５により、本願の屋根構造の実施例（実施例２）について説明する。本実施例の成型白色部材Ｗも、金属製本瓦葺きの構造において用いられるものである。この成型白色部材Ｗは、断面略コ字状の形状であり、金属製瓦Ｍの端縁近傍を覆うように取り付けられる。たとえば、金属製瓦Ｍが、略直線状端縁１１と、略半円状端縁１２を有する断面略半円状の場合、２つの略直線状端縁１１・１１、及び一方の略半円状端縁１２・１２に、成型白色部材Ｗが組み合わされる。金属製瓦Ｍと成型白色部材Ｗとの組合せは、実施例１のように係合させる方法、金属製瓦Ｍ表面に成型白色部材Ｗを貼付する方法があげられる。この方法はどちらも、あらかじめ地上で成型白色部材Ｗと金属製瓦Ｍを組み合わせておくこともできるので、屋根上での作業負荷を軽減させることができる。
【００２９】
本実施例の屋根構造とするのに当たっては、まず谷瓦Ｍ２が屋根上に止着具によって固定される。そして、実施例１のように山瓦Ｍ１と成型白色部材Ｗを係合させる方法においては、この谷瓦Ｍ２の被係合部２１ａに対して、成型白色部材Ｗの谷瓦係合部３２ａが組み合わされる。一方、金属製瓦Ｍ表面に成型白色部材Ｗを貼付させる方法においては、この谷瓦Ｍ２の被係合部２１ａに対して、山瓦Ｍ１の係合部１１ａが組み合わされる。その結果、成型白色部材Ｗがあたかも漆喰を付着させたように、屋根表面を形成する一部分として表出された状態となる。
【００３０】
次に、図６により、本願の屋根構造の実施例（実施例３）について説明する。本実施例の成型白色部材Ｗも、金属製本瓦葺きの構造において用いられるものである。この成型白色部材Ｗは、略はしご状の形状である。この成型白色部材Ｗが、軒棟方向にはしごをかけるように、山瓦Ｍ１上に固定される。このとき、屋根上に取り付けられた山瓦Ｍ１・Ｍ１同士の目地部分、山瓦Ｍ１と谷瓦Ｍ２の目地部分を、成型白色部材Ｗが覆う構成になる。金属製瓦Ｍと成型白色部材Ｗとの組合せは、金属製瓦Ｍ表面に成型白色部材Ｗを貼付させる方法、あらかじめ屋根上に形成された止着部に成型白色部材Ｗを止着させる方法があげられる。この方法はどちらも、ほぼ通常の金属製瓦Ｍと同様の施工をしたあと、成型白色部材Ｗの簡単な取り付け作業を行うだけでよいので、屋根上での作業負荷を軽減させることができる。
【００３１】
本実施例の屋根構造とするのに当たっては、まず谷瓦Ｍ２が屋根上に止着具によって固定される。そして、この谷瓦Ｍ２の被係合部２１ａに対して、山瓦Ｍ１の係合部１１ａが組み合わされる。金属製瓦Ｍ表面に成型白色部材Ｗを貼付させる方法においては、屋根上に取り付けられた山瓦Ｍ１・Ｍ１同士の目地部分、山瓦Ｍ１と谷瓦Ｍ２の目地部分を、成型白色部材Ｗが覆うように両面テープ等によって貼り付けられる。一方、あらかじめ屋根上に形成された止着部に成型白色部材Ｗを止着させる方法においては、まず、成型白色部材を用いない、一般的な金属製屋根瓦の施工と同様の取り付け作業を行う。このとき、たとえば、鈎状等の止着部を突出形成しておく。その止着部に対して、成型白色部材Ｗを止着していく。このほか、成型白色部材Ｗは、止着具で直接固定されてもよい。その際、止着で固定された箇所は、隣接の成型白色部材Ｗや山瓦Ｍ１を被せ、雨水対策を施すとよい。
【００３２】
最後に、本願の屋根構造で用いる成型白色部材Ｗの実施例（実施例４）について説明する。本実施例の成型白色部材Ｗは、金属製である。この成型白色部材Ｗの素材は、金属製瓦Ｍの素材と同等のものが望ましい。そうすることによって、耐用年数がほぼ同じになり、意匠性の統一感を維持できる。たとえば、金属製瓦Ｍがチタンである場合、成型白色部材Ｗとしてチタンを白色発色させたものを使用する。チタンの場合、従来の瓦の風合いを再現するため、様々な発色をさせることが可能である。塗装とは異なるので、退色したり、はがれたりすることがなく、耐久性を高めることができる。
【符号の説明】
【００３３】
Ｍ        金属製瓦
Ｍ１      山瓦
１１      略直線状端縁
１１ａ    係合部
１２      略半円状端縁
Ｍ２      谷瓦
２１ａ    被係合部
Ｗ        成型白色部材
３１      金属瓦被係合部
３１ａ    山瓦被係合部
３２ａ    谷瓦係合部
Ｓ        止着具
Ｂ        木下地
【図１】
2018053445.tif 000003
【図２】
2018053445.tif 000004
【図３】
2018053445.tif 000005
【図４】
2018053445.tif 000006
【図５】
2018053445.tif 000007
【図６】
2018053445.tif 000008
【図７】
2018053445.tif 000009
【図８】
2018053445.tif 000010